(57)【特許請求の範囲】
【請求項１】
ハウジングと、細断処理手段と、第１触発手段と、第２触発手段を含んでなるシュレッダーにおいて、
前記ハウジングには処理対象物を投入する投入口を形成し、
前記細断処理手段は前記ハウジング内に設けられ、細断隙間を介して設けられる２つのカッターを具えてなり、
前記細断隙間の上方には、前記細断隙間に平行して伝動柱体が設けられており、
前記第１触発手段は、前記伝動柱体から突出するものであり、前記第１触発手段は、前記細断隙間の長手方向の略中央の上方に位置するように配置されており、
前記第２触発手段は、前記伝動柱体から突出するものであり、前記第２触発手段は、前記細断隙間の端縁部から中央の位置に至る範囲内の上方に位置するように配置されており、
幅が該細断隙間の水平方向の長さの半分を超えるような紙を前記細断隙間に投入した場合、前記紙が前記第１触発手段を下方に押圧し、これにより押圧された前記第１触発手段が前記伝動柱体を回転させて前記細断処理手段を起動させるようになっており、
幅が該細断隙間の水平方向の長さの半分に至らないカードあるいは光ディスクを、前記細断隙間の端縁部に沿って前記細断隙間に投入した場合、前記カードあるいは光ディスクは前記第１触発手段に接触することなく前記第２触発手段に接触し、これにより押圧された前記第２触発手段が前記伝動柱体を回転させて前記細断処理手段を起動させるようになっていることを特徴とするシュレッダー。
【請求項２】
前記カッターは円筒状を呈し、平行してハウジング内に設けられ、かつそれぞれのカッターは両方端縁に端縁支持ポイントが固定的して設けられるとともに、それぞれの端縁支持ポイントは対向して設けられ、該それぞれの端縁支持ポイントが対向する位置において細断手段をハウジングに固定し、
幅が該細断隙間の水平方向の長さの半分に至らない前記カードあるいは光ディスクを該細断隙間に投入した場合、前記カードあるいは光ディスクを該細断隙間の端縁部から中央の位置に至る範囲において細断処理することを特徴とする請求項１に記載のシュレッダー。
【請求項３】
前記第１触発手段と第２触発手段とを設ける方式が、幅が該細断隙間の水平方向の長さの半分を超えるような紙を該細断隙間に投入した場合、前記紙が先に該第１触発手段に接触して触発させるように設けることを特徴とする請求項１に記載のシュレッダー。
【発明の詳細な説明】
【０００１】
【発明の属する技術分野】
本発明は一種のシュレッダーに関し、特に紙以外の材質によるカードや光ディスクなどのサイズの小さい物品を処理するのに適したシュレッダーに関する。
【０００２】
【従来の技術】
図１に従来のシュレッダーを開示する。図示によればシュレッダー１０は、投入口１４を形成したハウジング１２内に細断手段１８を設け、廃棄処理を行う不要文書１６を該投入口１４に投入すると、該投入口に対応する位置に設けた触発手段２０が投入された不要文書１６を感知して細断手段１８を起動し、不要文書１６を細断する。細断手段１８はカッター２２、２４を具え、カッター２２、２４の間に細断隙間２６を形成し、触発手段２０は細断隙間２６のほぼ中央に位置する。また、不要文書１６は、細断隙間２６において細断される。
【０００３】
図２は、従来のシュレッダー１０を利用してサイズの小さい物品を処理する場合の説明図である。細断処理を行う物品が図１に開示する不要文書１６のように紙類であれば、シュレッダー１０は通常適宜に処理することができるが、細断処理を行う物品が紙以外の材質によるカードや光ディスクの場合は、容易に問題が発生する。即ち、図２に開示するように、硬質で比較的厚いカード２８が細断隙間２６に進入すると、カード２８は不要文書１６よりも厚く、硬質であるので、カッター２２、２４が湾曲して変形し、さらに数回同様の処理を繰り返すと、カッター２２、２４の弾性が疲労して、比較的硬質の物品を細断するために十分な力を提供することができなくなる。このような状態になると、細断手段１８を交換しなければならなくなる。したがって、使用者にとって極めて不便である。
【０００４】
従来のシュレッダーを利用して以外の材質による物品を処理することは極めてすくない。また、市場にもこのような物品の細断機能を具えるオフィース用、もしくは個人用のシュレッダーは見られない。但し、機密保持、安全性の見地から、カード類、光ディスクなどの物品に対する処理機能を具えたシュレッダーは、確かに存在させる価値がある。
【０００５】
【発明が解決しようとする課題】
本発明は、紙以外の材質によるカードや光ディスクなどのサイズの小さい物品に対する細断処理機能を具えたシュレッダーを提供することを課題とする。
【０００６】
【課題を解決するための手段】
そこで、本発明者は従来の技術に見られる欠点に鑑み鋭意研究を重ね、従来のシュレッダーにおいて細断隙間の中央に位置する触発手段以外に、別途第２の触発手段を設けて、処理物品が細断隙間に進入すると、機械的構造の強い該細断隙間の端縁部に近い位置でサイズが小さく、比較的硬い処理対象物を処理する構造に着目して、本発明の完成に至った。
【０００７】
以下に詳述する。
【０００８】
請求項１に記載するシュレッダーはハウジングと、細断処理手段と、第１触発手段と、第２触発手段を含んでなる。該ハウジングには処理対象物を投入する投入口を形成し、該細断手段は該ハウジング内に設けられ、細断隙間を介して設けられる２つのカッターを具えてなり、該第１触発手段は、該細断隙間上の水平方向に略中央の位置に設けられ、投入された処理対象物で感知して細断手段を起動するために設けられ、該細断手段は、該細断隙間の端縁部から中央の位置に至る範囲内に設けられる。幅が該細断隙間の水平方向の長さの半分を超える処理対象物を該細断隙間に投入した場合、該処理対象物によって該第１触発手段が触発して細断手段を起動し、幅が該細断隙間の水平方向の長さの半分に至らない処理対象物を該細断隙間に投入した場合、該処理対象物は該第１触発手段に接触することなく、該第２触発手段に接触して触発させて細断手段を起動するように構成する。
【０００９】
請求項２に記載するシュレッダーは、請求項１におけるカッターが円筒状を呈し、平行してハウジング内に設けられ、かつそれぞれのカッターは両方端縁に端縁支持ポイントが固定的して設けられるとともに、それぞれの端縁支持ポイントは対向して設けられ、該それぞれの端縁支持ポイントが対向する位置において細断手段をハウジングに固定し、幅が該細断隙間の水平方向の長さの半分に至らない処理対象物を該細断隙間に投入した場合、該処理対象物を該細断隙間の端縁部から中央の位置に至る範囲において細断処理する。
【００１０】
請求項３に記載するシュレッダーは、請求項１における細断隙間上に、該細断隙間に平行して伝動柱体を設け、該第１触発手段と、第２触発手段とを該伝動柱体から突出するように設け、該第１触発手段、もしくは第２触発手段が投入された処理対象物によって下方に押圧されると、該押圧された触発手段が伝動柱体を回転させて該細断手段を起動する。
【００１１】
請求項４に記載するシュレッダーは、請求項１における第１触発手段と第２触発手段とを設ける方式が、幅が該細断隙間の水平方向の長さの半分を超える処理対象物を該細断隙間に投入した場合、該処理対象物が先に該第１触発手段に接触して触発させるように設ける。
【００１２】
請求項１に記載するシュレッダーは、ハウジングと、細断処理手段と、触発手段とを含んでなる。該ハウジングには処理対象物を投入する投入口を形成し、  該細断手段は該ハウジング内に設けられ、細断隙間を介して設けられる２つのカッターを具えてなる。該触発手段は、該細断隙間の端縁部から中央の位置に至る範囲内に設けられ、幅が該細断隙間の水平方向の長さの半分に至らない処理対象物を該細断隙間に投入した場合、該処理対象物は該細断隙間の端縁部から中央の位置に至る範囲内において細断処理されるように構成する。
【００１３】
請求項６に記載するシュレッダーは、請求項５におけるカッターが円筒状を呈し、平行してハウジング内に設けられ、かつそれぞれのカッターは両方端縁に端縁支持ポイントが固定的して設けられるとともに、それぞれの端縁支持ポイントは対向して設けられ、該それぞれの端縁支持ポイントが対向する位置において細断手段をハウジングに固定される。
【００１４】
請求項７に記載するシュレッダーは、請求項５に記載する細断隙間上に、該細断隙間に平行して伝動柱体を設け、該触発手段を該伝動柱体から突出するように設け、該触発手段が投入された処理対象物によって下方に押圧され該伝動柱体を回転させて、該細断手段を起動する。
【００１５】
請求項８に記載するシュレッダーは、請求項５における細断隙間上には、水平方向の略中央の位置に、別途触発手段を設け幅が該細断隙間の水平方向の長さの半分を超える処理対象物を該細断隙間に投入した場合、該処理対象物が先に該別途設けた触発手段に接触して触発させ、細断手段を起動するように構成する。
【００１６】
【発明の実施の形態】
本発明によるシュレッダーは、特に紙以外の材質によるカードや光ディスクなどのサイズの小さい物品を処理する機能を具え、細断手段の細断隙間の略中央の位置に設けられる触発手段以外に、さらに端縁部に近い位置に第２の触発手段を設ける。
【００１７】
かかるシュレッダーの構造と特長を説明するために、具体的な実施例を挙げ、図示を参照にして以下に詳述する。
【００１８】
【実施例】
図３、４に、本発明によるシュレッダー４０を開示する。図示によれば、シュレッダー４０は、細長い投入口４４を形成したハウジング４２を有し、処理対象物４６を投入口４４から投入する。また、投入口４４の下方で、水平方向のほぼ中央の位置には第１触発手段２０を設け、投入された処理対象物４６を第１触発手段５０で感知して細断手段４８を起動する。図３に開示するように、細断手段４８は、細断隙間５６を介して設けられるカッター５２、５４を具え、第１触発手段５０は、細断隙間５６上でかつ、水平方向の略中央に位置する。また、別途第２触発手段５８を細断隙間５６の端縁部に近い位置に設け、サイズの比較的小さい物品を感知するために用いる。
【００１９】
図３に開示するように、カッター５２、５４は、円筒状を呈し、平行してハウジング４２内に設けられる。また、カッター５２は両方端縁に端縁支持ポイント６２、６４が固定して設けられ、カッター５４もカッター５２の端縁支持ポイント６２、６４に対応する位置にそれぞれ端縁支持ポイント６６、６８が固定して設けられる。また、端縁支持ポイント６２、６６及び６４、６８の対向する位置において細断手段ハウジング７０に固定される。このため、細断手段４８の機械的構造は、両端縁部が中央部に比して堅固である。
【００２０】
図３に開示するように、細断手段４８は細断隙間５６上に、細断隙間５６に平行して伝動柱体７２を設ける。第１触発手段５０と、第２触発手段５８とは、伝動柱体７２から突出するように設ける。第１触発手段５０、もしくは第２触発手段５８が投入された処理対象物４６によって下方に押圧されると、該押圧された触発手段は伝動柱体７２を回転させる。このため、リレー７４を触発して細断手段４８を起動する。
【００２１】
図４に幅の比較的広い処理対象物７６を細断隙間５６に投入した状態を開示する。また図５には幅の比較的狭い処理対象物７８を細断隙間５６に投入した状態を開示する。実施例における第１触発手段５０と第２触発手段５８の設置方式によれば、幅が細断隙間５６の長さの半分を超える処理対象物７６が細断隙間５６に投入されると、先に第１触発手段５０に接触する。図４に開示するように第１触発手段５０の位置は第２触発手段５８の位置に比して高いため、例えばＡ４サイズの紙類など幅の広い処理対象物７６が細断隙間５６に投入されると、先に第１触発手段５０に接触し、第２触発手段５８には接触することなく、かつ第２触発手段５８の影響で傾斜して細断隙間５６に進入することがない。次いで、第１触発手段５０が伝動柱体を回転させて細断手段４８を起動する。
【００２２】
図５に開示するように、例えばプラスチック材料によるカード類など幅が細断隙間５６の長さの半分に至らない処理対象物７８が細断隙間５６に投入されると、第１触発手段５０に接触することなく、第２触発手段５８に接触して細断手段４８を起動する。この場合、処理対象物７８は細断隙間５６の中央の位置から端縁部に至る端縁処理領域８０において細断される。上述のとおり、細断隙間５６の両端縁部の機械的構造は中央の位置に比して強いため、処理対象物７８を投入した場合、カッター５２、５４が湾曲して変形する状況が発生しにくい。即ち、弾性的疲労が容易に発生しない。
【００２３】
また、本発明によるシュレッダー４０は、第２触発手段５８を細断隙間５６の端縁部に設けるため、幅の狭い処理対象物７８を投入口４４から投入する場合、投入口端縁部８２に沿って投入する。よって、処理対象物７８が傾斜して細断隙間５６に進入することがない。
【００２４】
この実施例における第１触発手段５０、第２触発手段５８は、伝動柱体７２から突起して設けられるが、実際に本発明を実施する場合は、触発手段を例えば光線遮断感知センサー、もしくはその他適宜な手段に変更してもよい。また、触発手段を設ける数も２つに限定されることなく、設計上の必要から数を増加、もしくは減少しても、本発明の目的を達成することができる。
【００２５】
以上は、本発明の好ましい実施例であって、本発明の実施の範囲を限定するものではない、よって、当業者のなし得る修正、もしくは変更であって、本発明に対して均等の効果を具えるものは、いずれも本発明の特許請求の範囲に属するものとする。
【００２６】
【発明の効果】
本発明によるシュレッダーは、従来のシュレッダーに対してさらに第２触発手段を設けて、細断隙間の端縁部で幅が狭く、比較的硬質の処理対象物を細断する場合に、該第２触発手段を触発させて細断手段を起動し、機械的構造の強い端縁部で処理を行う。よって、通常の不要書類を処理するのみならず、例えばプラスチック材などによるカード類、もしくは光ディスクなどを細断処理でき、さらに部材などを増加させたり、特殊な仕様のカッターを用いたりする必要がない。このため、シュレッダー自体の体積を増加させることなく、製造コストを最低限度に抑えることができる。
【図面の簡単な説明】
【図１】従来のシュレッダーの構造を表わす分解図である。
【図２】従来のシュレッダーにおいて、幅が狭く、硬質の処理対象物を処理する状況を表わす説明図である。
【図３】本発明によるシュレッダーの構造を表わす分解図である。
【図４】本発明によるシュレッダーにおいて、幅の広い処理対象物を処理する状態を表わす説明図である。
【図５】本発明によるシュレッダーにおいて、幅が狭く、硬質の処理対象物を処理する状況を表わす説明図である。
【符号の説明】
４０  シュレッダー
４２  ハウジング
４４  投入口
４６  処理対象物
４８  細断隙間
５０  第１触発手段
５２、５４  カッター
５６  第２触発手段
６２、６４、６６、６８  端縁支持ポイント
７０  細断手段ハウジング
７２  伝動柱体
７４  リレー
７６、７８  処理対象物
８０  端縁処理領域
８２  投入口端緑部
【図１】
0004090245.tif 000002
【図２】
0004090245.tif 000003
【図３】
0004090245.tif 000004
【図４】
0004090245.tif 000005
【図５】
0004090245.tif 000006